(57)【要約】【課題】この発明は、屋外に設置するもので、廃棄物の分別収集に有効であり、安定性がよく、統一された美観を有する廃棄物収集箱を提供することと、ペットの排泄物の分別収集に有効な廃棄物収集箱を提供することを目的とする。【解決手段】上述の課題を解決するため、この発明の廃棄物収集箱１は、複数の廃棄物収集箱ユニット２と、この廃棄物収集箱ユニット２を連結する連結手段３と、地面への固定のための固定手段１６を有し、前記廃棄物収集箱ユニット２は筐体５と、扉４と、筐体内に設けられた内部容器６を有するものであることを特徴とする。【選択図】図１
2005075614.tif 000002
【特許請求の範囲】
【請求項１】
複数の廃棄物収集箱ユニットと、この廃棄物収集箱ユニットを連結する連結手段と、地面への固定のための固定手段を有し、前記廃棄物収集箱ユニットは筐体と、扉と、筐体内に設けられた内部容器を有するものであることを特徴とする廃棄物収集箱。
【請求項２】
筐体と、扉と、筐体内に設けられたペットの排泄物を収集する内部容器と、地面への固定のための固定手段を有することを特徴とする廃棄物収集箱。
【請求項３】
前記内部容器のうち少なくとも一基は、筐体から取り外し可能である請求項１または請求項２に記載の廃棄物収集箱。
【請求項４】
前記内部容器のうち少なくとも一基は、側壁に縦長ののぞき窓が設けられており、のぞき窓に沿って内容量確認手段が設けられていることを特徴とする請求項３に記載の廃棄物収集箱。
【請求項５】
前記内部容器のうち少なくとも一基は、容器内に殺虫剤を保持するための殺虫剤保持手段が設けられていることを特徴とする請求項４に記載の廃棄物収集箱。
【請求項６】
前記内部容器のうち少なくとも一基は、内部と外部にそれぞれ内容量確認手段が設けられていることを特徴とする請求項３に記載の廃棄物収集箱。
【請求項７】
前記廃棄物収集箱ユニットのうち少なくとも一基は、扉に廃棄物投入口を有し、この廃棄物投入口の近くに消臭剤保持手段が設けられていることを特徴とする請求項１ないし請求項６のいずれかに記載の廃棄物収集箱。
【請求項８】
側壁に縦長ののぞき窓が設けられており、のぞき窓に沿って内容量確認手段が設けられていることを特徴とするごみ箱。
【請求項９】
内部と外部にそれぞれ内容量確認手段が設けられていることを特徴とするごみ箱。
【請求項１０】
筐体と、この筐体の地面への固定のための固定手段を有し、前記筐体は扉と鍵を有しており、前記固定手段は筐体の内部で固定されていることを特徴とする盗難防止装置。
【発明の詳細な説明】
【技術分野】
【０００１】
この発明は、屋外に設置され、一般廃棄物を分別収集するための廃棄物収集箱に関するものである。
【背景技術】
【０００２】
おもに家庭から発生する一般廃棄物の処分は、各自治体が収集し処分を行っている。ごみは各自治体の基準に従って各家庭で分別され、廃棄物収集車が収集に来るときに指定された所定の場所に集められる。家庭でごみを種別ごとに分別して収集する手段として、たとえば特許文献１には、ごみを種類別に収集する複数のごみ箱をその側面同士が互いに接触するように横並びに配置することによって各ごみ箱間に隙間がなく一体的に見えるようなごみの分別収集装置が記載されている。しかし、廃棄物収集車で収集するときにごみを出す場所は通常特別な設備をもたず、一般道の端等に置かれることになる。これ以外に、公衆向け小型分別ゴミ箱として、特許文献２にスチール製のゴミ箱本体の中にペールを複数個収納するものが記載されている。
【０００３】
また、公園やテーマパーク等では、公衆向けごみ箱として、可燃ごみ、空き缶、不燃物等を収集するものは多く存在するが、それぞれ単体のごみ箱が置かれるか、いくつか並べて置かれている。特許文献３には、公園等に設置されるごみ箱として、一つの外箱の内側に複数の内箱を保持していると見られる意匠が記載されている。さらに、ペットの排泄物を廃棄できるものはなかった。わずかに、特許文献４にペットの糞尿を処理した汚物を回収するための汚物回収ボックスの意匠が記載されている程度である。
【特許文献１】特開平１１−２０８８０４号
【特許文献２】特開平１０−１０９７０１号
【特許文献３】意匠登録第１０８０００８号公報
【特許文献４】意匠登録第１０４１６３１号公報
【発明の開示】
【発明が解決しようとする課題】
【０００４】
家庭からの廃棄物を一般道の端等で収集する場合、廃棄物収集車が収集するまでの間、透明な袋に入れられた廃棄物が直接見えることになり、町の美観を損なう。また、廃棄物収集車が来る直前しかごみを出すことができないので、時間的な制約が大きい。集合住宅の一部においては、ブロック等の建造物に金網の扉を設けた常設のごみ収集場所を設けている例もあるが、このような建造物を設けるには法令上の制約や手続の煩雑さもあり、また、美観に優れるものではない。特許文献１に記載のごみの分別収集装置は、ごみの分別収集に便利であり、またある程度統一感のある意匠となっているが、個別のごみ箱の集合であることには違いがなく安定性や取り扱いは普通の家庭用ごみ箱と変わらない。また、一般住宅のキッチン等の床に置くだけのものであって、屋外の公衆用ごみ箱として利用できるものではない。
【０００５】
公園等に置かれているごみ箱も、個別のごみ箱が単体または複数置かれているだけのものであり、不安定であるとともに美観も優れない。特許文献２や特許文献３に記載の分別用ごみ箱は統一した美観を有するものの、従来のごみ箱の内部を区切ったに過ぎないものであり、屋外に常設するにはやはり不安定である。また、分別すべきごみの種類は市町村や時代により異なるが、一つのごみ箱本体中に設けられるペールや内箱の数は一定であり、ごみの分別の仕方の違いに対して柔軟に対応することはできない。  
【０００６】
さらに、上述のペットの排泄物収集用容器も、ボックス状の容器を地面においたに過ぎず、不安定であり、故意に倒される等のいたずらを防止できない。このようなごみ箱を単体で設けても、他のごみも一緒に投入されたりするので、ペットの排泄物のみを分別して処理することは困難である。
【０００７】
この発明は、屋外に設置するもので、廃棄物の分別収集に有効であり、安定性がよく、統一された美観を有する廃棄物収集箱を提供することを目的とする。また、これまでほとんど実施できなかったペットの排泄物の分別収集に有効な廃棄物収集箱を提供することをも目的とする。
【課題を解決するための手段】
【０００８】
上述の課題を解決するため、この発明の廃棄物収集箱は、複数の廃棄物収集箱ユニットと、この廃棄物収集箱ユニットを連結する連結手段と、地面への固定のための固定手段を有し、前記廃棄物収集箱ユニットは筐体と、扉と、筐体内に設けられた内部容器を有するものであることを特徴とする。または、この発明の廃棄物収集箱は、筐体と、扉と、筐体内に設けられたペットの排泄物を収集する内部容器と、地面への固定のための固定手段を有することを特徴とする。前記内部容器のうち少なくとも一基は、筐体から取り外し可能なものとしてもよい。さらに、前記内部容器は、側壁に縦長ののぞき窓が設けられておりのぞき窓に沿って内容量確認手段が設けられているものとしたり、内部と外部にそれぞれ内容量確認手段が設けられているものとしてもよく、容器内に殺虫剤を保持するための殺虫剤保持手段が設けられているものとしてもよい。前記廃棄物収集箱ユニットのうち少なくとも一基は、扉に廃棄物投入口を有し、この廃棄物投入口の近くに消臭剤保持手段が設けられているものとしてもよい。
【０００９】
この発明のごみ箱は、側壁に縦長ののぞき窓が設けられており、のぞき窓に沿って内容量確認手段が設けられていることを特徴とする。または、この発明のごみ箱は、内部と外部にそれぞれ内容量確認手段が設けられていることを特徴とする。
【００１０】
この発明の盗難防止装置は、筐体と、この筐体の地面への固定のための固定手段を有し、前記筐体は扉と鍵を有しており、前記固定手段は筐体の内部で固定されていることを特徴とする。
【発明の効果】
【００１１】
この発明は、屋外に設置するもので、廃棄物の分別収集に有効であり、安定性がよく、統一された美観を有する廃棄物収集箱を実現できるという効果を有する。
【発明を実施するための最良の形態】
【００１２】
この発明を実施するための最良の形態について、図面に基づいて説明する。図１はこの発明に係る廃棄物収集箱の正面図であり、図２は接続手段の詳細を示す底面図である。図３はペットの排泄物を収集する廃棄物収集箱ユニットの正面図である。図４は同右側面図である。図５はペットの排泄物を収集する廃棄物収集箱ユニットの使用状態を示す説明図である。図６は内部容器を示す斜視図であり、図７は同側面図である。図８は廃棄物収集箱ユニットの変形例を示す正面図である。図９は盗難防止装置の右側面図である。図１０および図１１は固定手段の詳細を示す断面図である。図１２は内部容器を示す斜視図である。
【００１３】
この発明の廃棄物収集箱１は、複数の廃棄物収集箱ユニット２を有する。この例においては、４基の廃棄物収集箱ユニット２ａ、ｂ、ｃ、ｄを備えている。これら廃棄物収集箱ユニット２間は、接続手段３により相互に接続されている。各廃棄物収集箱ユニット２は、それぞれ独立して廃棄物収集手段として機能するものである。それぞれの廃棄物収集箱ユニット２ａ、ｂ、ｃ、ｄは、種類の異なる廃棄物（例えば、可燃ごみ、空き缶、ペットボトル等）を収集するものであり、この例ではさらにペットの排泄物を収集する廃棄物収集箱ユニット２ａも設けられてる。扉４にはブタ、キリン、象、パンダ等のキャラクターが表されており、投入すべき廃棄物の種類を認識しやすくしている。このため、子供たちも親しみやすいキャラクターを通してごみをどの廃棄物収集箱ユニット２に投入すべきかを判断することができ、正しいごみの分別廃棄の仕方を学ぶという教育的効果も有する。
【００１４】
扉４のキャラクターを除いて、廃棄物収集箱ユニット２ａ、ｂ、ｃ、ｄは同一の外形である。このように、廃棄物収集箱ユニット２を接続手段３により相互に接続する構造としているために、設置場所に合わせて廃棄物収集箱ユニット２を自由に増減することができる。地方自治体によって廃棄物の分別方法が異なるが、廃棄物収集箱ユニット２を増減することによって、それぞれの分別方法に適応させることができる。また、分別方法は時代によっても変化し、次第に細分化される傾向があるが、この発明の廃棄物収集箱１であれば、あらたな種別ができたときにも、必要な数だけ廃棄物収集箱ユニット２を増設すればよい。また、キャラクターの異なる廃棄物収集箱ユニット２を多数揃えておき、利用者の好み等を考慮しながら設置場所毎にキャラクターを自由に選択するようにしてもよい。さらに、その場所の特産品等、地域の特徴を示すキャラクターを設けることも可能である。いずれの場合においても、統一された廃棄物収集箱ユニット２を一体的に設けることによって、まとまった感じの美観を得ることができる。後述するように、各廃棄物収集箱ユニット２は地面に固定されているので安定しているが、相互に接続することにより安定性はさらに向上する。
【００１５】
ペットの排泄物を収集する廃棄物収集箱ユニット２ａを例に、廃棄物収集箱ユニット２の詳細を説明する。図３は正面の扉４が開いた状態を示している。筐体５は略直方体状であるが、上部は図４に示すように前から後ろに下がる傾斜が設けられており、子供や泥酔者がふざけて上に上ることを防止している。筐体の内部には内部容器としてごみ箱６ａが取り外し可能な状態で置かれている。筐体５には扉４が開閉可能に取付けられているが、扉４は鍵７を備えており、普段は管理者によって鍵がかけられているので一般の人が扉４を開くことはできないようになっている。
【００１６】
この廃棄物収集箱ユニット２は、ペットの排泄物収集用であるために、扉４にブタのキャラクターを表して、ペットのトイレを連想するようにしている。扉４の上部にはブタの顔が表されているが、この顔の下半分は引っ張り式の小扉８となっている。図４に示すように、使用者は小扉８を持ち上げて開き、ここから犬・猫等の排泄物を筐体５内に投入する。こうして投入された排泄物は、内部容器６に収納される。小扉８を押し込み式にすると、投入する排泄物の一部が小扉８に付着し、次の人が使用しにくくなる場合も生じうるが、この例のように引っ張り式にすることにより、排泄物は付着しにくくなる。したがって、可燃ごみ等のための廃棄物収集箱ユニットにおいては、片手でごみを投入できるように小扉８を押し込み式にしてもよい。
【００１７】
ついで、内部容器６について説明する。内部容器６は略四角柱状の容器であり、上部が開口している。この開口部には開閉可能な蓋９が設けられているが、筐体５内に収容されているときは、蓋９は開いた状態である。この内部容器６は、ペットの排泄物収集用であるために、プラスチック等の不透明な素材で作られている。そして、側面の一部には、ガラス等の透明な素材で縦長ののぞき窓１０が設けられている。のぞき窓１０に沿って内容量確認手段１１が設けられている。この例では内容量確認手段１１として目盛りを付しているが、高さにしたがって色を塗り分けて内容量を示すようにしてもよい。こののぞき窓１０と内容量確認手段１１を正面に向けて、筐体５内に収納する。こうすることにより、管理者や廃棄物収集業者が扉４を開いたときに、内容量を容易に把握することができる。また、この状態で写真を撮影することによってどれだけの量の廃棄物を処理したかが記録に残されるので、公共事業として処理を行う場合等にも、実施状況を明確にすることができる。
【００１８】
廃棄物収集業者は鍵７を解除して扉４を開け、内部容器６を取り外して、投入された動物の排泄物を内部容器６ごと回収する。この際に、洗浄された空の内部容器６を別途用意しておき、この空の内部容器６を筐体５に設置する。これによって、直接排泄物に触れることなく、しかも迅速に排泄物の回収を行うことができる。回収された内部容器６は処理場へ運搬され、内部の排泄物は処理場で内部容器６から取り出されて処理される。内部容器６は十分に洗浄・消毒され、清潔な状態で再度筐体５内に設置される。
【００１９】
また図内部容器６には、殺虫剤を設けるようにしてもよい。図７示すように殺虫剤保持手段１２は、内部容器６の上縁部にかけるフック１３とかご１４を有する。かご１４の中には殺虫剤を入れることができる。殺虫剤としては、一度設置すれば長期間効果を維持する固形のものを使用することが好ましい。フック１３によりかご１４は内部容器６内に吊り下げられる。このように殺虫剤を置くことにより、ハエや虫の発生を防ぐことができる。さらに、図８に示すように筐体５内部で廃棄物投入口の近くに消臭剤保持手段１５を設け、その内部に消臭剤を入れてもよい。この例のように、廃棄物投入口の近くに消臭剤を置くことにより、廃棄物を投入するときに悪臭を感じることがなくなる。殺虫剤保持手段１２および消臭剤保持手段１５は、ペットの排泄物を収集する廃棄物収集箱ユニット２ａを清潔で快適な状態に保つのに有効であるが、他の廃棄物収集箱ユニット２ｂ、ｃ、ｄにも同様に適用することができる。
【００２０】
ついで、この発明の盗難防止装置の実施形態について説明する。ここでは、廃棄物収集箱ユニット２の盗難防止の例で説明する。筐体５の下に固定手段１６が設けられており、この固定手段１６によって廃棄物収集箱ユニット２は地面に固定される。図８に示す例では、固定手段１６はコの字型の断面のレールである。固定手段１６は地中に打ち込まれたＬ字型の杭１７によって、地面との摩擦力により固定されている。このように、杭によって固定するのは簡易な方法であるが、これでも地面の上に置くだけの従来のごみ箱に比べれば、格段に安定性があって安全である。また、地面に基礎を築き、これにボルト等で固定手段１６を固定することも可能である。杭やボルトは、廃棄物収集箱ユニット２が設置される場所の下に位置するようにする。
【００２１】
固定手段１６が固定されたら、この固定手段１６上に廃棄物収集箱ユニット２の筐体５をのせて、ボルト１８によって固定する。ボルト１８の取付け位置は筐体５の内部にあり、扉５を開いた状態でボルト１８の取付けを行う。ボルト１８で固定手段１６と筐体５を固定したら、扉４を閉め、鍵７で施錠する。
【００２２】
このように、廃棄物収集箱ユニット２の地面への固定はボルト等によってなされるので、建造物のような完全な固定ではない。したがって、撤去する場合や一部破損した廃棄物収集箱ユニット２を交換する場合には、容易に取り外すことができる。しかしながら、ボルト１８の取付け位置は筐体５の内部にあるので、鍵を持たない一般の人が扉４を開いてボルト１８を取り外すことはできないようになっている。これにより、管理者以外の者が勝手に廃棄物収集箱ユニット２を持ち去ったり、地面から取り外して倒すなどのいたずらをすることを防止することができる。従来のペットの排泄物の収集手段で、このように、強固に地面に固定された例はない。このように強固に固定することによって、衛生的な環境を維持することができる。このペットの排泄物を収集する廃棄物収集箱ユニット２ａは単体で実施してもよいが、図１に示すように他の廃棄物用の廃棄物収集箱ユニット２ｂ、ｃ、ｄと連結して用いることがより好ましい。他の廃棄物収集箱ユニット２ｂ、ｃ、ｄといっしょに設置されることによって、ペットの排泄物以外のごみがペットの排泄物を収集する廃棄物収集箱ユニット２ａに投入されることが少なくなる。また、犬を散歩させる人が排泄物を拾い集めるのに使う容器は、ビニール袋、空き缶、紙等さまざまであるが、これらの容器のうち不燃物はそれぞれの廃棄物収集箱ユニットに捨てればよく、空き缶等が排泄物とともにペットの排泄物を収集する廃棄物収集箱ユニット２ａに投入されることを防止できる。
【００２３】
以上、廃棄物収集箱ユニット２の盗難防止の例で説明したが、この盗難防止装置は自動販売機などさまざまな屋外設置物に対しても適用できる。例えば自動販売機に関する盗難事件は増加しつつあり、自動販売機そのものを持ち去るケースも多いが、自動販売機も前面に扉を備えた筐体を有しており、この扉は施錠できるようになっているので、この発明の盗難防止装置を適用することが可能である。この筐体の内部で地面と直接又はレール等を介して地面に固定すればよい。
【００２４】
つぎに、動物の排泄物以外の廃棄物用の内部容器の例について説明する。内部容器６はパンチングメタルでできた略円筒状のごみ箱である。その側壁には、内部と外部にそれぞれ内容量確認手段１１が設けられている。外部に設けられた内容量確認手段１１ａは、管理者や廃棄物収集業者が扉４を開けたときに、内容量を知るためのものである。一方、内側の内容量確認手段１１ｂは、上方からのぞいて内容量を把握するのに役立つ。廃棄物収集箱ユニット２の高さを１２０ｃｍ程度とし、筐体５の上部にのぞき窓を設けることにより、廃棄物を投入する者はのぞき窓を通して内部容器６の内部を見ることができるが、このとき、内側の内容量確認手段によって内容量を知ることができる。これによって、容量を越えた廃棄物が投入されることを防ぐことができる。また、管理者もいちいち鍵７を開けなくても、容易に内容量のおおまかに把握することができる。この内側の内容量確認手段１１ｂは、ペットの排泄物を収集する廃棄物収集箱ユニット２ａの内部容器に設けることもできる。
【産業上の利用可能性】
【００２５】
この発明の廃棄物収集箱は、一般家庭からでるごみの収集や公園内に設置する公衆用の廃棄物収集箱として適用できる。安定しており、人が触ったり風が吹くことによっても倒れにくく、安全であり、盗難を防止できる廃棄物収集箱として適用できる。美観においても優れているために、公園やテーマパークへ適用すると特に効果的である。
【図面の簡単な説明】
【００２６】
【図１】廃棄物収集箱の正面図である。
【図２】接続手段の詳細を示す底面図である。
【図３】ペットの排泄物を収集する廃棄物収集箱ユニットの正面図である。
【図４】同右側面図である。
【図５】ペットの排泄物を収集する廃棄物収集箱ユニットの使用状態を示す説明図である。
【図６】内部容器を示す斜視図である。
【図７】同側面図である。
【図８】廃棄物収集箱ユニットの変形例を示す正面図である。
【図９】盗難防止装置の右側面図である。
【図１０】固定手段の詳細を示す断面図である。
【図１１】固定手段の詳細を示す断面図である。
【図１２】内部容器を示す斜視図である。
【符号の説明】
【００２７】
１．廃棄物収集箱
２．廃棄物収集箱ユニット
３．接続装置
４．扉
５．筐体
６．内部容器（ごみ箱）
７．鍵
８．小扉
９．蓋
１０．のぞき窓
１１．内容量確認手段
１２．殺虫剤保持手段
１３．フック
１４．かご
１５．消臭剤保持手段
１６．固定手段
１７．杭
１８．ボルト
【図１】
2005075614.tif 000003
【図２】
2005075614.tif 000004
【図３】
2005075614.tif 000005
【図４】
2005075614.tif 000006
【図５】
2005075614.tif 000007
【図６】
2005075614.tif 000008
【図７】
2005075614.tif 000009
【図８】
2005075614.tif 000010
【図９】
2005075614.tif 000011
【図１０】
2005075614.tif 000012
【図１１】
2005075614.tif 000013
【図１２】
2005075614.tif 000014